(57)【要約】本提案は電話通信（携帯電話、固定電話もしくはIP電話）分野、具体的には、ホームネットワークオペレータのレベルで（つまり、ホームネットワークオペレータ側で被呼加入者に接続動作を行なう時点までに）ユーザーの電話機への着呼を制限することに関するものである。電話網加入者着呼制限装置は加入者回線に接続された受呼ブロックであって、その出力端子は信号送信・加入者解放ブロックの入力端子に接続され、信号送信・加入者解放ブロックの第1出力端子は受呼ブロックの入力端子に接続されている受呼ブロックと、回線入力端子、および入出力接続端子を有する電話機と、アクセス信号コーディングブロックで構成される。そのほか、本装置には不正着呼記録ブロックおよび不正着呼受信表示ブロックが組み込まれている。そして、信号送信・加入者解放ブロックは着呼選別ブロックとして構築されており、その第2出力端子は電話機の回線入力端子に接続されている。一方、電話機の出力端子はアクセス信号コーディングブロックを経由して着呼選別ブロックと接続されている。また、着呼選別ブロックの第3出力端子は直列で接続された不正着呼記録ブロックおよび不正着呼受信表示ブロックを経由して電話機の回線入力端子に接続されている。さらに、不正着呼受信表示ブロックは二台目の電話機、ボイスメールボックスもしくは自動応答装置として構築される。【選択図】図１
2015506654.tif 000002
【特許請求の範囲】
【請求項１】
加入者回線に接続された受呼ブロックであって、その出力端子は信号送信・加入者解放ブロックの入力端子に接続され、さらに信号送信・加入者解放ブロックの第1出力端子は受呼ブロックの入力端子に接続されている、受呼ブロックと、回線入力端子および入出力接続端子を有する電話機と、アクセス信号コーディングブロックとで構成される電話網加入者着呼制限装置であって、当該装置に不正着呼記録ブロックおよび不正着呼受信表示ブロックが組み込まれており、さらに信号送信・加入者解放ブロックが着呼選別ブロックとして構築されており、その第2出力端子は電話機の回線入力端子に接続されており、一方、電話機の出力端子はアクセス信号コーディングブロックを経由して着呼選別ブロックと接続されており、また、着呼選別ブロックの第3出力端子は直列で接続された不正着呼記録ブロックおよび不正着呼受信表示ブロックを経由して電話機の回線入力端子に接続されていることを特徴とする電話網加入者着呼制限装置。
【請求項２】
不正着呼受信表示ブロックが二台目の電話機、ボイスメールボックスもしくは自動応答装置として構築されていることを特徴とする請求項１に記載の装置。
【発明の詳細な説明】
【技術分野】
【０００１】
本提案は電話通信（携帯電話、固定電話もしくはIP電話）加入者がホームネットワークオペレータのレベルで（つまり、ホームネットワークオペレータ側で被呼加入者に接続動作を行なう時点までに）自分の電話機への着呼を制限することを可能にする技術である。
【背景技術】
【０００２】
現在、電話通信は広汎に普及し、ほぼ全ての人々もしくは団体が個人の電話もしくは業務用の電話を保有している。これには多大のメリットがある一方で、人間が時代の進展とともに自分の電話機の虜となりつつあるという問題を孕んでいる。人間が電話を私用あるいは業務目的で使用し、あるいはその電話番号が多くの人々に知られているという状況では特にそれが顕著である。その場合には時間的な境界あるいは状況に応じて呼をフィルタリングすることは不可能である。
【０００３】
本技術は電話加入者が特別モードを設定し、それが有効である限りにおいてパスワードを入力しなければこの電話加入者への着呼ができないようにするもので、それによってホームネットワーク通信オペレータのレベルで着呼を状況に応じた必要な数にまで制限できるようになる。
【０００４】
本技術の文脈で言うところの「ホームネットワーク通信オペレータ」（HomeNetworkCommunicationOperator;以下、HNCOと称す）とは被呼加入者が当初から記録（登録）されているオペレータを意味する。
【０００５】
また、後述する本技術では携帯電話がローミング設定されている場合において携帯電話への着呼数を適宜制限することも可能となる。
【０００６】
先行技術レベル
現在、いくつかの着呼制限技術が広く知られている。例えば、
1)  HNCOのレベルで設定される、全面的に無条件の着呼拒否もしくは条件付着呼拒否（例えば、被呼加入者がローミング設定の状態にある場合）；
2)  電話機（携帯端末）に設定される端末制限で、電話機内の電話帳で加入者の電話番号をグループ分けし、グループ毎に特定の着信音を割り当て、受信したくない呼にはサイレントモードを設定できる。
【０００７】
呼(call)を「受信したい」と「受信したくない」に分け、「望ましからざる」接続を制限する技術にはいくつかの欠点がある：
上記1)の技術では、重要な「受信したい」呼を受けることができない。
上記2)の技術では、発呼番号および発呼者を必ずしも正確に特定することができない（自動番号認識装置がない、番号を正しく特定できない（特にローミング設定状態の場合）、発呼番号を知らない）、「受信したくない」呼であるにもかかわらず、偶発的に接続されてしまう可能性がある（構内電話を経由するか、もしくは「サイレント」コールの場合）、「望ましからざる」接続が実行された結果、それに対する余分な出費が発生する。
【０００８】
公知の着呼制限装置には次のようなものがある。即ちその構成部分としては、受呼ブロック2、信号送信・加入者解放ブロック3および直列に接続されたコード受信機4および表示ブロック5があり、受呼ブロック2の第1および第2出力端子が信号送信・加入者解放ブロック3の第1および第2入力端子に接続されており、さらに受呼ブロック2の第1入力端子は電話機6の回線入力端子と連結されている。また、電話機の入力端子は信号送信・加入者解放ブロック3の第3入力端子とも接続されている。信号送信・加入者解放ブロック3の第1出力端子はコード受信機4の第1入力端子および受呼ブロック2の第2入力端子（これら二つの入力端子は統合された端子となっている）と連結されている。受呼ブロック2の第3出力端子はコード受信機4の第2入力端子と接続され、信号送信・加入者解放ブロック3の第2出力端子は受呼ブロック2の第1入力端子と接続されている。こうした公知の装置の特徴としては、選択的に着呼制限を行なうためにアクセス信号コーディングブロック1を取り付けていること、その第1および第2出力端子は信号送信・加入者解放ブロック3の第4および第5入力端子に接続されていること、さらに信号送信・加入者解放ブロック3の第6入力端子は受呼ブロック2の第4出力端子と接続されて、また、受呼ブロック2の第5出力端子はアクセス信号コーディングブロック1の第1入力端子と接続され、その第3および第4入力端子はコード受信機4の第2および第3出力端子と接続されていることが挙げられる（著作権証明書SU1589422）。こうした着呼制限装置は特定のコードを入力することによって被呼加入者にアクセスさせたり、コードが一致しない場合には通話中の信号を発信したりすることができる。
【発明の概要】
【発明が解決しようとする課題】
【０００９】
この種の装置の欠陥としては、到来呼が加入者の電話機に着信してから、装置がただ単に到来呼を遮断するか、あるいはコードが正しく入力されていれば加入者が受けてしまうことがある。この技術では当該装置に予め接続することを想定しており、「望ましからざる」接続があれば余分な出費が発生してしまう。
【課題を解決するための手段】
【００１０】
一方、本発明の技術的効果は、被呼加入者のHNCOのレベルでアクセスを制限（アクセスパスワードを設定）することにより、到来呼を選択し、制限する個別の自由度を最大限に高めたことにある。
【００１１】
上記の技術的効果が達成されたのは以下の理由による。電話網加入者着呼制限装置は加入者回線に接続された受呼ブロックであって、その出力端子は信号送信・加入者解放ブロックの入力端子に接続され、さらに信号送信・加入者解放ブロックの第1出力端子は受呼ブロックの入力端子に接続されている、受呼ブロックと、回線入力端子および入出力接続端子を有する電話機と、アクセス信号コーディングブロックとで構成され、それに不正着呼記録ブロックおよび不正着呼受信表示ブロックが組み込まれていることによるものである。そして、信号送信・加入者解放ブロックは着呼選別ブロックとして構築されており、その第2出力端子は電話機の回線入力端子に接続されている。一方、電話機の出力端子はアクセス信号コーディングブロックを経由して着呼選別ブロックと接続されている。また、着呼選別ブロックの第3出力端子は直列で接続された不正着呼記録ブロックおよび不正着呼受信表示ブロックを経由して電話機の回線入力端子に接続されている。
【００１２】
そのほか、不正着呼受信表示ブロックは二台目の電話機、ボイスメールボックスもしくは自動応答装置として構築されている。
【００１３】
本装置を図に示す。
【図面の簡単な説明】
【００１４】
【図１】本装置の回路図である。
【発明を実施するための形態】
【００１５】
電話網加入者着呼制限装置は加入者回線に接続された受呼ブロック1（その出力端子は信号送信・加入者解放ブロックの入力端子に接続され、さらに信号送信・加入者解放ブロックの第1出力端子は受呼ブロック1の入力端子に接続されている）、回線入力端子および入出力接続端子を有する電話機3、アクセス信号コーディングブロック4で構成される。本装置には不正着呼記録ブロック5および不正着呼受信表示ブロック6が組み込まれている。そして、信号送信・加入者解放ブロックは着呼選別ブロック2として構築されており、その第2出力端子は電話機3の回線入力端子に接続されている。一方、電話機の出力端子はアクセス信号コーディングブロック4を経由して着呼選別ブロック2と接続されている。また、着呼選別ブロックの第3出力端子は直列で接続された不正着呼記録ブロック5および不正着呼受信表示ブロック6を経由して電話機3の回線入力端子に接続されている。
【００１６】
不正着呼受信表示ブロック3は二台目の電話機、ボイスメールボックスもしくは自動応答装置として構築することができる。
【００１７】
本技術は上記の類似技術とは以下の点で異なる。発呼があった場合、コードは被呼加入者のHNCOのレベルで着呼選別ブロック2に入力され、アクセスコードが正しくダイヤルされない場合には到来呼は不正着呼記録ブロック5に転送され、不正着呼受信表示ブロック6、つまり、被呼加入者のボイスメールボックスに送られるか、もしくはHNCOの音声自動応答システムに送られ、呼出ができないことを知らせて、着呼を遮断するか、もしくは被呼加入者が予め設定した電話番号に転送するなどの対応がなされる（本発明には多様な応答パターンがありうることを指摘しておく）。その際、被呼加入者には、SMSメッセージ、電子メールなどを送ることによって着呼があったことを通知することができる（それは本明細書においては原則的な要素ではない）。
【００１８】
このように、望ましからざる着呼はHNCOの枠内に留まる（切断される）。アクセスコードを知っている加入者には、ホームネットワークオペレータにコードを入力した後に、被呼加入者と接続することが許可される。偶発的な誤着呼も切断され、被呼加入者の番号ではなく、パスワードを変更することによって望ましからざる接触を制限することができる。
【００１９】
本発明を実現するためには被呼加入者のネットワークHNCOはこの機能を保持しなければならない。
【００２０】
ネットワーク（携帯電話もしくは固定電話）の加入者は自分の電話機3からアクセス信号コーディングブロック4を経由してHNCOに特定の信号を送ることによって着呼制限モードを有効にする（このモードを有効にすることは本技術の明細書では原則的な要素ではなく、それにはいくつかのパターンがありうる。例えば、ネットワークオペレータにコードを送信する；トーンダイヤル；ボイスメッセージの送信；特定の番号のダイヤリング；オペレータとの通信において特定のコードを入力する、などである）。本発明の有効化パターンは、いつでも有効化することができる、HNCOの標準的なサービスに含むことができる、加入者が電話番号を利用するときにいつでも有効になる、など実に多様でありうる。ネットワーク加入者は有効化を行なう場合には（もしくは事前に）一定のアクセスコードを入力しなければならない。HNCO（被呼加入者が登録されている）に到来呼が着信した場合、発呼加入者には一定のアクセスコード（パスワード）を入力するよう要求される（それは本技術の明細書では原則的な要素ではなく、様々なパターンが存在する。例えば、発呼加入者の通信機器から数字の組み合わせをトーンモードもしくはパルスモードで入力する；特定のキーワードを音声で入力する；音楽的なコードを入力する、などである）。
【００２１】
正しいアクセスコード（パスワード）が入力されると、HNCOは被呼加入者との接続を行なう。
【００２２】
間違ったアクセスコードが入力された（あるいは設定された待機時間が経過した）場合、呼は被呼加入者のボイスメールボックスに転送されるか、もしくはHNCOの音声自動応答システムに送られ、呼出ができないことを知らせて、通信を遮断するか、もしくは被呼加入者が予め設定した電話番号に転送される。その際、被呼加入者には、SMSメッセージ、電子メールなどを送ることによって着呼があったことを通知することができる（それは本技術の明細書においては原則的な要素ではなく、いくつかのパターンがありうる）。
【００２３】
例えば、間違ったパスワードが入力された一定数の呼がHNCOによって受呼ブロック1に着信する。パスワードが間違って入力された後、呼は着呼選別ブロック2によって不正着呼記録ブロック5に転送され、その後、例えば、ボイスメールボックスに入る。発呼加入者は音声メッセージを残し、そのメッセージはHNCOに残る。被呼加入者はHNCOの不正着呼記録ブロック5に保存されたメッセージにアクセスし、まさに自分の電話機3を使い、アクセス信号コーディングブロック4を経由して転送された複数の呼を受信する機能を有効にし、それらを同時に、もしくは一定の時間的な間隔で受信するよう設定することができる（時間の間隔は電話ネットワークオペレータでも設定できる）。このように転送された呼のメッセージを受信するメカニズムは手動で有効化できる。自動受信は、例えば、加入者が外国から到着し、ホームネットワークに登録された時のローミング設定状態において利用することができる。その時、加入者は間違ったパスワードが入力された、あるいはパスワードが一切入力されない着呼に関する情報を自分の携帯電話で自動受信することができる。ホームネットワークオペレータにおける本発明の機能および転送された呼に関する情報は加入者がインターネットもしくは固定電話、およびその他のモバイル機器を使って有効化または受信（視聴）することができる。
【００２４】
このようにして、本発明では、被呼加入者のHNCOのレベルでアクセスを制限（アクセスパスワードを設定）することにより到来呼を選択し、制限する個別の自由度を最大限に高めるという技術的結果が得られる。
【図１】
2015506654.tif 000003
【国際調査報告】
2015506654.tif 000004
2015506654.tif 000005